(57)【要約】【課題】ネットワークケーブルに含まれる１対の信号線でオーディオ信号を伝送することができる信号伝送システム及び受信装置を提供する。【解決手段】デジタルオーディオ信号がＬＡＮケーブル１０内の一対の信号線を介して受信装置３に平衡伝送され、チャネルクロック（LRCK）及びビットクロック（BCK）は、当該一対の信号線を介して受信装置３に非平衡伝送される。受信装置３では、ビットクロックに基づいてシステムクロック(SCK)が作成され、LRCK、BCK及びSCKに基づいて、デジタルオーディオ信号がアナログオーディオ信号に変換されて出力される。送信装置２及び受信装置３のＦＧ（フレームグランド）の有無にかかわらず、チャネルクロック（LRCK）が正確に送信装置２から受信装置３に伝送されるように、ＬＲＣＫ電位自動補正回路２５が受信装置３に設けられている。【選択図】図５
2010178093.tif 000002
【特許請求の範囲】
【請求項１】
受信装置及び送信装置を備える信号伝送システムであって、
前記送信装置は、
アナログオーディオ信号をデジタルオーディオ信号に変換し、当該デジタルオーディオ信号、チャネルクロック及びビットクロックを出力するＡ／Ｄコンバータと、
前記デジタルオーディオ信号をネットワークケーブルに含まれる１対の信号線を介して前記受信装置に平衡伝送し、前記チャネルクロック及び前記ビットクロックを混合して前記１対の信号線を介して前記受信装置に非平衡伝送する差動信号伝送回路とを有し、
前記受信装置は、
前記１対の信号線を介して前記デジタルオーディオ信号を受信する第１差動信号受信回路と、
前記１対の信号線を介して前記チャネルクロック及び前記ビットクロックを受信する第２差動信号受信回路と、
前記第２差動信号受信回路の出力から前記チャネルクロックを分離する第１分離回路と、
前記第２差動信号受信回路の出力から前記ビットクロックを分離する第２分離回路と、
基準電位と前記第１差動信号受信回路の出力とを比較し、当該比較結果に応じて増幅されたデジタルオーディオ信号を出力する第１比較器と、
基準電位と前記第１分離回路の出力とを比較し、当該比較結果に応じて増幅されたチャネルクロックを出力する第２比較器と、
基準電位と前記第２分離回路の出力とを比較し、当該比較結果に応じて増幅されたビットクロックを出力する第３比較器と、
前記第２差動信号受信回路の出力の電位変動に応じて、前記第２比較器の基準電位がチャネルクロックの振幅の半分又は略半分となるように前記第２比較器の基準電位を補正する補正回路と、
前記第３比較器から出力されるビットクロックの周波数を変換し、システムクロックを作成するＰＬＬ回路と、
前記第２比較器から出力されるチャネルクロック、前記第３比較器から出力されるビットクロック並びに前記ＰＬＬ回路で作成されたシステムクロックに基づいて、前記第１比較器から出力されるデジタルオーディオ信号をアナログオーディオ信号に変換し、出力するＤ／Ａコンバータとを有することを特徴とする信号伝送システム。
【請求項２】
受信装置及び送信装置を備える信号伝送システムであって、
前記送信装置は、
アナログオーディオ信号をデジタルオーディオ信号に変換し、当該デジタルオーディオ信号、及びチャネルクロックを出力するＡ／Ｄコンバータと、
前記デジタルオーディオ信号をネットワークケーブルに含まれる１対の信号線を介して前記受信装置に平衡伝送し、前記チャネルクロックを前記１対の信号線を介して前記受信装置に非平衡伝送する差動信号伝送回路とを有し、
前記受信装置は、
前記１対の信号線を介して前記デジタルオーディオ信号を受信する第１差動信号受信回路と、
前記１対の信号線を介して前記チャネルクロックを受信する第２差動信号受信回路と、
基準電位と前記第１差動信号受信回路の出力とを比較し、当該比較結果に応じて増幅されたデジタルオーディオ信号を出力する第１比較器と、
基準電位と前記第２差動信号受信回路の出力とを比較し、当該比較結果に応じて増幅されたチャネルクロックを出力する第２比較器と、
前記第２差動信号受信回路の出力の電位変動に応じて、前記第２比較器の基準電位がチャネルクロックの振幅の半分又は略半分となるように前記第２比較器の基準電位を補正する補正回路と、
前記第２比較器から出力されるチャネルクロックの周波数を変換し、ビットクロック及びシステムクロックを作成するＰＬＬ回路と、
前記第２比較器から出力されるチャネルクロック並びに前記ＰＬＬ回路で作成されたビットクロック及びシステムクロックに基づいて、前記第１比較器から出力されるデジタルオーディオ信号をアナログオーディオ信号に変換し、出力するＤ／Ａコンバータとを有することを特徴とする信号伝送システム。
【請求項３】
前記送信装置は、前記デジタルオーディオ信号及び画像信号を前記ネットワークケーブルを介して前記受信装置に送信することを特徴とする請求項１又は２に記載の信号伝送システム。
【請求項４】
前記送信装置は、前記１対の信号線に流れる信号を前記デジタルオーディオ信号又は前記受信装置からの操作信号に選択的に切り換える第１スイッチ回路を備え、
前記受信装置は、前記１対の信号線に流れる信号を前記デジタルオーディオ信号又は前記操作信号に選択的に切り換える第２スイッチ回路を備え、
前記第１スイッチ回路が前記デジタルオーディオ信号を選択している場合には、前記第２スイッチ回路が前記デジタルオーディオ信号を選択し、前記第１スイッチ回路が前記操作信号を選択している場合には、前記第２スイッチ回路が前記操作信号を選択することを特徴とする請求項１又は２に記載の信号伝送システム。
【請求項５】
送信装置からネットワークケーブルに含まれる１対の信号線を介してデジタルオーディオ信号を受信する第１差動信号受信回路と、
前記送信装置から前記１対の信号線を介してチャネルクロック及びビットクロックを受信する第２差動信号受信回路と、
前記第２差動信号受信回路の出力から前記チャネルクロックを分離する第１分離回路と、
前記第２差動信号受信回路の出力から前記ビットクロックを分離する第２分離回路と、
基準電位と前記第１差動信号受信回路の出力とを比較し、当該比較結果に応じて増幅されたデジタルオーディオ信号を出力する第１比較器と、
基準電位と前記第１分離回路の出力とを比較し、当該比較結果に応じて増幅されたチャネルクロックを出力する第２比較器と、
基準電位と前記第２分離回路の出力とを比較し、当該比較結果に応じて増幅されたビットクロックを出力する第３比較器と、
前記第２差動信号受信回路の出力の電位変動に応じて、前記第２比較器の基準電位がチャネルクロックの振幅の半分又は略半分となるように前記第２比較器の基準電位を補正する補正回路と、
前記第３比較器から出力されるビットクロックの周波数を変換し、システムクロックを作成するＰＬＬ回路と、
前記第２比較器から出力されるチャネルクロック、前記第３比較器から出力されるビットクロック並びに前記ＰＬＬ回路で作成されたシステムクロックに基づいて、前記第１比較器から出力されるデジタルオーディオ信号をアナログオーディオ信号に変換し、出力するＤ／Ａコンバータとを有することを特徴とする受信装置。
【請求項６】
送信装置からネットワークケーブルに含まれる１対の信号線を介して前記デジタルオーディオ信号を受信する第１差動信号受信回路と、
前記送信装置から前記１対の信号線を介してチャネルクロックを受信する第２差動信号受信回路と、
基準電位と前記第１差動信号受信回路の出力とを比較し、当該比較結果に応じて増幅されたデジタルオーディオ信号を出力する第１比較器と、
基準電位と前記第２差動信号受信回路の出力とを比較し、当該比較結果に応じて増幅されたチャネルクロックを出力する第２比較器と、
前記第２差動信号受信回路の出力の電位変動に応じて、前記第２比較器の基準電位がチャネルクロックの振幅の半分又は略半分となるように前記第２比較器の基準電位を補正する補正回路と、
前記第２比較器から出力されるチャネルクロックの周波数を変換し、ビットクロック及びシステムクロックを作成するＰＬＬ回路と、
前記第２比較器から出力されるチャネルクロック並びに前記ＰＬＬ回路で作成されたビットクロック及びシステムクロックに基づいて、前記第１比較器から出力されるデジタルオーディオ信号をアナログオーディオ信号に変換し、出力するＤ／Ａコンバータとを有することを特徴とする受信装置。
【請求項７】
前記送信装置は、前記デジタルオーディオ信号及び画像信号を前記ネットワークケーブルを介して前記受信装置に送信することを特徴とする請求項５又は６に記載の受信装置。
【請求項８】
前記送信装置は、前記１対の信号線に流れる信号を前記デジタルオーディオ信号又は前記受信装置からの操作信号に選択的に切り換える第１スイッチ回路を備え、
前記受信装置は、前記１対の信号線に流れる信号を前記デジタルオーディオ信号又は前記操作信号に選択的に切り換える第２スイッチ回路を備え、
前記第１スイッチ回路が前記デジタルオーディオ信号を選択している場合には、前記第２スイッチ回路が前記デジタルオーディオ信号を選択し、前記第１スイッチ回路が前記操作信号を選択している場合には、前記第２スイッチ回路が前記操作信号を選択することを特徴とする請求項５又は６に記載の受信装置。
【発明の詳細な説明】
【技術分野】
【０００１】
本発明は、画像信号及びオーディオ信号の通信が可能な信号伝送システム及び受信装置に関する。
【背景技術】
【０００２】
従来より、コンピュータから出力されるアナログ画像信号（即ち、RGB信号）及びキーボードやマウスの操作に対するレスポンス信号を４対の信号線を含むCat5（category 5）ケーブルで遠隔地に送信するローカルユニットと、キーボードやマウスの操作信号をローカルユニットに送信すると共に上記アナログ画像信号及びレスポンス信号を受信するリモートユニットとを有する信号伝送システムが知られている（特許文献１参照）。
【先行技術文献】
【特許文献】
【０００３】
【特許文献１】特開２００４−３５６９３９号公報
【発明の概要】
【発明が解決しようとする課題】
【０００４】
上記信号伝送システムでは、ローカルユニットは、３対の信号線を使い、アナログ画像信号をリモートユニットに送信し、残りの１対の信号線を使い、キーボードやマウスの操作に対するレスポンス信号をリモートユニットに送信する。
【０００５】
上記信号伝送システムでは、ローカルユニットがコンピュータから出力されるアナログオーディオ信号をリモートユニットに送信する場合には、ローカルユニットが、アナログオーディオ信号をデジタル変換し、デジタルオーディオ信号、チャネルクロック（LRCK）、ビットクロック（BCK）の３つの信号をCat5ケーブル内の２対の信号線を使ってリモートユニットに送信している。このため、ローカルユニットが、アナログ画像信号及びアナログオーディオ信号をリモートユニットに送信する場合には、ローカルユニットとリモートユニットとの間を接続する２本のCat5ケーブルが必要であった。
【０００６】
本発明の目的は、ネットワークケーブルに含まれる１対の信号線でオーディオ信号を伝送することができる信号伝送システム及び受信装置を提供することにある。
【課題を解決するための手段】
【０００７】
上記目的を達成するため、請求項１の信号伝送システムは、受信装置及び送信装置を備える信号伝送システムであって、前記送信装置は、アナログオーディオ信号をデジタルオーディオ信号に変換し、当該デジタルオーディオ信号、チャネルクロック及びビットクロックを出力するＡ／Ｄコンバータと、前記デジタルオーディオ信号をネットワークケーブルに含まれる１対の信号線を介して前記受信装置に平衡伝送し、前記チャネルクロック及び前記ビットクロックを混合して前記１対の信号線を介して前記受信装置に非平衡伝送する差動信号伝送回路とを有し、前記受信装置は、前記１対の信号線を介して前記デジタルオーディオ信号を受信する第１差動信号受信回路と、前記１対の信号線を介して前記チャネルクロック及び前記ビットクロックを受信する第２差動信号受信回路と、前記第２差動信号受信回路の出力から前記チャネルクロックを分離する第１分離回路と、前記第２差動信号受信回路の出力から前記ビットクロックを分離する第２分離回路と、基準電位と前記第１差動信号受信回路の出力とを比較し、当該比較結果に応じて増幅されたデジタルオーディオ信号を出力する第１比較器と、基準電位と前記第１分離回路の出力とを比較し、当該比較結果に応じて増幅されたチャネルクロックを出力する第２比較器と、基準電位と前記第２分離回路の出力とを比較し、当該比較結果に応じて増幅されたビットクロックを出力する第３比較器と、前記第２差動信号受信回路の出力の電位変動に応じて、前記第２比較器の基準電位がチャネルクロックの振幅の半分又は略半分となるように前記第２比較器の基準電位を補正する補正回路と、前記第３比較器から出力されるビットクロックの周波数を変換し、システムクロックを作成するＰＬＬ回路と、前記第２比較器から出力されるチャネルクロック、前記第３比較器から出力されるビットクロック並びに前記ＰＬＬ回路で作成されたシステムクロックに基づいて、前記第１比較器から出力されるデジタルオーディオ信号をアナログオーディオ信号に変換し、出力するＤ／Ａコンバータとを有することを特徴とする。
【０００８】
請求項２の信号伝送システムは、受信装置及び送信装置を備える信号伝送システムであって、前記送信装置は、アナログオーディオ信号をデジタルオーディオ信号に変換し、当該デジタルオーディオ信号、及びチャネルクロックを出力するＡ／Ｄコンバータと、前記デジタルオーディオ信号をネットワークケーブルに含まれる１対の信号線を介して前記受信装置に平衡伝送し、前記チャネルクロックを前記１対の信号線を介して前記受信装置に非平衡伝送する差動信号伝送回路とを有し、前記受信装置は、前記１対の信号線を介して前記デジタルオーディオ信号を受信する第１差動信号受信回路と、前記１対の信号線を介して前記チャネルクロックを受信する第２差動信号受信回路と、基準電位と前記第１差動信号受信回路の出力とを比較し、当該比較結果に応じて増幅されたデジタルオーディオ信号を出力する第１比較器と、基準電位と前記第２差動信号受信回路の出力とを比較し、当該比較結果に応じて増幅されたチャネルクロックを出力する第２比較器と、前記第２差動信号受信回路の出力の電位変動に応じて、前記第２比較器の基準電位がチャネルクロックの振幅の半分又は略半分となるように前記第２比較器の基準電位を補正する補正回路と、前記第２比較器から出力されるチャネルクロックの周波数を変換し、ビットクロック及びシステムクロックを作成するＰＬＬ回路と、前記第２比較器から出力されるチャネルクロック並びに前記ＰＬＬ回路で作成されたビットクロック及びシステムクロックに基づいて、前記第１比較器から出力されるデジタルオーディオ信号をアナログオーディオ信号に変換し、出力するＤ／Ａコンバータとを有することを特徴とする。
【０００９】
請求項３の信号伝送システムは、請求項１又は２に記載の信号伝送システムにおいて、前記送信装置は、前記デジタルオーディオ信号及び画像信号を前記ネットワークケーブルを介して前記受信装置に送信することを特徴とする。
【００１０】
請求項４の信号伝送システムは、請求項１又は２に記載の信号伝送システムにおいて、前記送信装置は、前記１対の信号線に流れる信号を前記デジタルオーディオ信号又は前記受信装置からの操作信号に選択的に切り換える第１スイッチ回路を備え、前記受信装置は、前記１対の信号線に流れる信号を前記デジタルオーディオ信号又は前記操作信号に選択的に切り換える第２スイッチ回路を備え、前記第１スイッチ回路が前記デジタルオーディオ信号を選択している場合には、前記第２スイッチ回路が前記デジタルオーディオ信号を選択し、前記第１スイッチ回路が前記操作信号を選択している場合には、前記第２スイッチ回路が前記操作信号を選択することを特徴とする。
【００１１】
請求項５の受信装置は、送信装置からネットワークケーブルに含まれる１対の信号線を介してデジタルオーディオ信号を受信する第１差動信号受信回路と、前記送信装置から前記１対の信号線を介してチャネルクロック及びビットクロックを受信する第２差動信号受信回路と、前記第２差動信号受信回路の出力から前記チャネルクロックを分離する第１分離回路と、前記第２差動信号受信回路の出力から前記ビットクロックを分離する第２分離回路と、基準電位と前記第１差動信号受信回路の出力とを比較し、当該比較結果に応じて増幅されたデジタルオーディオ信号を出力する第１比較器と、基準電位と前記第１分離回路の出力とを比較し、当該比較結果に応じて増幅されたチャネルクロックを出力する第２比較器と、基準電位と前記第２分離回路の出力とを比較し、当該比較結果に応じて増幅されたビットクロックを出力する第３比較器と、前記第２差動信号受信回路の出力の電位変動に応じて、前記第２比較器の基準電位がチャネルクロックの振幅の半分又は略半分となるように前記第２比較器の基準電位を補正する補正回路と、前記第３比較器から出力されるビットクロックの周波数を変換し、システムクロックを作成するＰＬＬ回路と、前記第２比較器から出力されるチャネルクロック、前記第３比較器から出力されるビットクロック並びに前記ＰＬＬ回路で作成されたシステムクロックに基づいて、前記第１比較器から出力されるデジタルオーディオ信号をアナログオーディオ信号に変換し、出力するＤ／Ａコンバータとを有することを特徴とする。
【００１２】
請求項６の受信装置は、送信装置からネットワークケーブルに含まれる１対の信号線を介して前記デジタルオーディオ信号を受信する第１差動信号受信回路と、前記送信装置から前記１対の信号線を介してチャネルクロックを受信する第２差動信号受信回路と、基準電位と前記第１差動信号受信回路の出力とを比較し、当該比較結果に応じて増幅されたデジタルオーディオ信号を出力する第１比較器と、基準電位と前記第２差動信号受信回路の出力とを比較し、当該比較結果に応じて増幅されたチャネルクロックを出力する第２比較器と、前記第２差動信号受信回路の出力の電位変動に応じて、前記第２比較器の基準電位がチャネルクロックの振幅の半分又は略半分となるように前記第２比較器の基準電位を補正する補正回路と、前記第２比較器から出力されるチャネルクロックの周波数を変換し、ビットクロック及びシステムクロックを作成するＰＬＬ回路と、前記第２比較器から出力されるチャネルクロック並びに前記ＰＬＬ回路で作成されたビットクロック及びシステムクロックに基づいて、前記第１比較器から出力されるデジタルオーディオ信号をアナログオーディオ信号に変換し、出力するＤ／Ａコンバータとを有することを特徴とする。
【００１３】
請求項７の受信装置は、請求項５又は６に記載の受信装置において、前記送信装置は、前記デジタルオーディオ信号及び画像信号を前記ネットワークケーブルを介して前記受信装置に送信することを特徴とする。
【００１４】
請求項８の受信装置は、請求項５又は６に記載の受信装置において、前記送信装置は、前記１対の信号線に流れる信号を前記デジタルオーディオ信号又は前記受信装置からの操作信号に選択的に切り換える第１スイッチ回路を備え、前記受信装置は、前記１対の信号線に流れる信号を前記デジタルオーディオ信号又は前記操作信号に選択的に切り換える第２スイッチ回路を備え、前記第１スイッチ回路が前記デジタルオーディオ信号を選択している場合には、前記第２スイッチ回路が前記デジタルオーディオ信号を選択し、前記第１スイッチ回路が前記操作信号を選択している場合には、前記第２スイッチ回路が前記操作信号を選択することを特徴とする。
【発明の効果】
【００１５】
請求項１、２、５又は６によれば、ネットワークケーブルに含まれる１対の信号線でオーディオ信号を伝送することができる。
【００１６】
請求項３又は７によれば、１本のネットワークケーブルでデジタルオーディオ信号及び画像信号を伝送することができる。
【００１７】
請求項４又は８によれば、ユーザが、ネットワークケーブルに含まれる１対の信号線の用途を操作信号の伝送又はデジタルオーディオ信号の伝送のいずれかに切り換えることができる。
【図面の簡単な説明】
【００１８】
【図１】本発明の実施の形態に係る信号伝送システムの構成を示すブロック図である。
【図２】（Ａ）は、画像信号及び操作信号に関連する送信装置２の構成を示すブロック図であり、（Ｂ）は、画像信号及び操作信号に関連する受信装置３の構成を示すブロック図である。
【図３】（Ａ）は、オーディオ信号に関連する従来の送信装置の構成を示すブロック図であり、（Ｂ）は、オーディオ信号に関連する従来の受信装置の構成を示すブロック図である。
【図４】送信装置及び受信装置のＦＧ（フレームグランド）がとれていない場合、チャネルクロック（LRCK）の電位波形を示す図である。
【図５】（Ａ）は、オーディオ信号に関連する送信装置２の構成を示すブロック図であり、（Ｂ）は、オーディオ信号に関連する受信装置３の構成を示すブロック図である。
【図６】（Ａ）は、送信装置２及び受信装置３のＦＧ（フレームグランド）がある場合の、ＬＲＣＫ電位自動補正回路３２５により補正されたコンパレータ３０４の基準電位Vrefとチャネルクロック（LRCK）のパルスとの関係を示す図であり、（Ｂ）は、送信装置２及び受信装置３のＦＧ（フレームグランド）がない場合の、ＬＲＣＫ電位自動補正回路３２５により補正されたコンパレータ３０４の基準電位Vrefとチャネルクロック（LRCK）のパルスとの関係を示す図である。。
【図７】（Ａ）は、オーディオ信号に関連する送信装置２の構成の第１変形例を示すブロック図であり、（Ｂ）は、オーディオ信号に関連する受信装置３の構成の第１変形例を示すブロック図である。
【図８】（Ａ）は、オーディオ信号に関連する送信装置２の構成の第２変形例を示すブロック図であり、（Ｂ）は、オーディオ信号に関連する受信装置３の構成の第２変形例を示すブロック図である。
【発明を実施するための形態】
【００１９】
以下、図面を参照しながら本発明の実施の形態を説明する。
【００２０】
図１は、本発明の実施の形態に係る信号伝送システムの構成を示すブロック図である。
【００２１】
図１に示すように、信号伝送システムでは、パーソナルコンピュータ又はワークステーション等で構成されるサーバ１とモニタ４、スピーカ５及びキーボードやマウス等（以下、キーボード／マウスという）６との間に、送信装置２と受信装置３とが設けられている。
【００２２】
送信装置２と受信装置３とは、ＬＡＮケーブル１０を介して互いに接続されている。送信装置２及び受信装置３には、それぞれ専用インタフェース（以下、インタフェースをＩ／Ｆと略す）１２Ｄ及び１３Ｄが組み込まれている。専用Ｉ／Ｆ１２Ｄ及び専用Ｉ／Ｆ２０Ｄは、送信装置２及び受信装置３を一対一の関係で接続する。また、この専用Ｉ／Ｆ１２Ｄは、サーバ１から出力される３つの画像信号（ＲＧＢ：以下、何れでもよい場合は単に画像信号という）、水平同期信号（Hsync）、垂直同期信号（Vsync）（以下、何れでも良い場合は単に同期信号という）及びオーディオ信号（音声信号）を専用Ｉ／Ｆ１３Ｄに送信し、キーボード／マウス６から入力された信号（これを操作信号という）を専用Ｉ／Ｆ１３Ｄから受信する。専用Ｉ／Ｆ１３Ｄは、画像信号、同期信号及びオーディオ信号を専用Ｉ／Ｆ１２Ｄから受信すると共に操作信号を専用Ｉ／Ｆ１２Ｄに送信する。
【００２３】
ＬＡＮケーブル１０は、例えばＣａｔ５Ｅストレートケーブルであり、４対（計８本）の信号線を含む。各画像信号は、それぞれ差動信号として送信装置２から受信装置３へ送信されるため、画像信号毎に１対の信号線を占有する。従って、３つの画像信号、即ちＲＧＢ信号で３対の信号線を占有する。残りの１対の信号線は、オーディオ信号を送信装置２から受信装置３へ送信するために使用される、又はキーボード／マウス６から入力された操作信号を受信装置３から送信装置２へ送信するために使用されると共にサーバ１から出力される信号を送信装置２から受信装置３へ送信するために使用される。尚、水平同期信号はＧ信号に多重化され、垂直同期信号はＢ信号に多重化されるので、水平同期信号及び垂直同期信号がそれぞれ独立して信号線を占有することはない。
【００２４】
送信装置２は、サーバ１から画像信号（ＲＧＢ）、水平同期信号及び垂直同期信号を入力するためのディスプレイコネクタとしてＶＧＡ（Ｖｉｄｅｏ  Ｇｒａｐｈｉｃｓ  Ａｒｒａｙ）コネクタ１２Ａを有する。このＶＧＡコネクタ１２Ａには、例えばＢＮＣコネクタやＤ−ｓｕｂ１５ｐｉｎコネクタ等の一般的なコネクタを使用することができる。
【００２５】
また、送信装置２は、サーバ１からのオーディオ信号を入力するためのコネクタ１２Ｃ及び受信装置３を介して入力したキーボード／マウス６の操作信号をサーバ１へ入力するためのコネクタ１２Ｄを有する。
【００２６】
尚、サーバ１には、一般的な情報処理装置と同様に、画像信号（ＲＧＢ）を出力するためのＶＧＡコネクタ１１Ａと、オーディオ信号を出力するためのコネクタ１１Ｂと、キーボードやマウスから操作信号を入力するためのコネクタ１１Ｃとが設けられている。
【００２７】
送信装置２に設けられたＶＧＡコネクタ１２Ａは、例えばＢＮＣケーブルやＤ−ｓｕｂ１５ｐｉｎケーブル等を用いて構成したＲＧＢケーブル１４Ａを介して、サーバ１に設けられているＶＧＡコネクタ１１Ａに接続される。送信装置２に設けられたコネクタ１２Ｂは、ケーブル１５Ａを介して、サーバ１に設けられているコネクタ１１Ｂに接続される。また、送信装置２に設けられたコネクタ１２Ｃは、一般的なキーボード及びマウスの接続に使用されるケーブル１６Ａを介して、サーバ１に設けられているコネクタ１１Ｃに接続される。コネクタ１１Ｃ及びコネクタ１２Ｃは、ＵＳＢ（Ｕｎｉｖｅｒｓａｌ  Ｓｅｒｉａｌ  Ｂｕｓ）又はＰＳ／２等用のコネクタで構成されており、ケーブル１６Ａは、ＵＳＢ（Ｕｎｉｖｅｒｓａｌ  Ｓｅｒｉａｌ  Ｂｕｓ）又はＰＳ／２等用のケーブルで構成されている。
【００２８】
受信装置３は、モニタ４へ画像信号（ＲＧＢ），水平同期信号及び垂直同期信号を出力するためのディスプレイコネクタとしてＶＧＡ（Ｖｉｄｅｏ  Ｇｒａｐｈｉｃｓ  Ａｒｒａｙ）コネクタ１３Ａを有する。このＶＧＡコネクタ１３Ａには、例えばＢＮＣコネクタやＤ−ｓｕｂ１５ｐｉｎコネクタ等の一般的なコネクタを使用することができる。ＶＧＡコネクタ１３Ａには、モニタ４に設けられたＲＧＢケーブル１４Ｂが接続される。ＲＧＢケーブル１４Ｂは、例えばＢＮＣケーブルやＤ−ｓｕｂ１５ｐｉｎケーブル等で構成されている。      
【００２９】
また、受信装置３は、スピーカ５にオーディオ信号を出力するコネクタ１３Ｂ及びキーボード／マウス６から操作信号を入力するためのコネクタ１３Ｃを有する。コネクタ１３Ｂには、スピーカ５に設けられたケーブル１５Ｂが接続されており、コネクタ１３Ｃには、キーボード／マウス６に設けられたケーブル１６Ｂが接続される。コネクタ１３Ｃは、ＵＳＢ（Ｕｎｉｖｅｒｓａｌ  Ｓｅｒｉａｌ  Ｂｕｓ）又はＰＳ／２等用のコネクタで構成されており、ケーブル１６Ｂは、ＵＳＢ（Ｕｎｉｖｅｒｓａｌ  Ｓｅｒｉａｌ  Ｂｕｓ）又はＰＳ／２等用のケーブルで構成されている。
【００３０】
次に、送信装置２及び受信装置３の内部構成について図面を用いて詳細に説明する。尚、以下の説明では、Ｒ，Ｇ，Ｂの画像信号のうち画像信号（Ｇ）に水平同期信号を多重化し、画像信号（Ｂ）に垂直同期信号を多重化する場合を例に挙げて説明する。
【００３１】
図２（Ａ）は、画像信号及び操作信号に関連する送信装置２の構成を示すブロック図である。図２（Ａ）に示すように、送信装置２は、ＶＧＡコネクタ１２Ａから入力された画像信号（ＲＧＢ）のうち、画像信号（Ｇ）に水平同期信号を多重化し、画像信号（Ｂ）に垂直同期信号を多重化するための多重化回路１９ａ，１９ｂとシリアル通信用ドライバ２０とを有する。
【００３２】
多重化回路１９ａは、画像信号（ＲＧＢ）のうち画像信号（Ｇ）及び水平同期信号を入力し、画像信号（Ｇ）に水平同期信号を多重化し、多重化信号を受信装置３に出力する。同様に、多重化回路１９ｂは、画像信号（ＲＧＢ）のうち画像信号（Ｂ）及び垂直同期信号を入力し、画像信号（Ｂ）に垂直同期信号を多重化し、多重化信号を受信装置３に出力する。尚、一般的な画像信号（ＲＧＢ）の電圧レベルは高くとも１Ｖ程度であり、一般的な同期信号の電圧レベルは内部電圧レベルと同等な５Ｖ程度である。シリアル通信用ドライバ２０は、ＲＳ−４８５のシリアル通信用ドライバで構成されており、受信装置３から受信した操作信号をサーバ１に出力すると共にサーバ１からの信号を受信装置３へ送信する。
【００３３】
図２（Ｂ）は、画像信号及び操作信号に関連する受信装置３の構成を示すブロック図である。
【００３４】
受信装置３は、画像信号検出回路２１ａ〜２１ｃ、同期信号分離回路２２ａ，２２ｂ及びシリアル通信用ドライバ２３を備えている。
【００３５】
画像信号検出回路２１ａ〜２１ｃは、専用Ｉ／Ｆ１３Ｄで受信された複数の信号から画像信号（Ｒ）、画像信号（Ｇ）及び画像信号（Ｂ）をそれぞれ検出する。同期信号分離回路２２ｂは、画像信号検出回路２１ａから出力されるコモンモード信号に基づいて、画像信号検出回路２１ｃから出力されるコモンモード信号から垂直同期信号を分離する。同期信号分離回路２２ａは、画像信号検出回路２１ａから出力されるコモンモード信号及び垂直同期信号に基づいて、画像信号検出回路２１ｂから出力されるコモンモード信号から垂直同期信号によるクロストークの影響を除いた水平同期信号を分離する。
【００３６】
シリアル通信用ドライバ２３は、ＲＳ−４８５のシリアル通信用ドライバで構成されており、キーボード／マウス６から受信した操作信号を送信装置２に出力すると共に送信装置２からの信号を不図示のＵＳＢ機器に送信する。
【００３７】
図３（Ａ）は、オーディオ信号に関連する従来の送信装置の構成を示すブロック図であり、図３（Ｂ）は、オーディオ信号に関連する従来の受信装置の構成を示すブロック図である。
【００３８】
図３（Ａ）において、従来の送信装置は、Ａ／Ｄコンバータ４１、アッテネータ４２及び差動信号伝送回路４３、４４を備えている。Ａ／Ｄコンバータ２０１は、サーバからのアナログオーディオ信号を入力し、デジタルオーディオ信号（Dout）に変換し、デジタルオーディオ信号（Dout）、チャネルクロック（LRCK）及びビットクロック（BCK）の３つの信号を出力する。アッテネータ４２は、デジタルオーディオ信号（Dout）、チャネルクロック（LRCK）及びビットクロック（BCK）の出力を減衰する。これは、画像信号へのＥＭＩノイズを減らすためである。差動信号伝送回路４３は、デジタルオーディオ信号（Dout）及びチャネルクロック（LRCK）を入力し、デジタルオーディオ信号（Dout）をＬＡＮケーブルを介して従来の受信装置に平衡伝送し、チャネルクロック（LRCK）をＬＡＮケーブル１０を介して従来の受信装置に非平衡伝送する。差動信号伝送回路４４は、ビットクロック（BCK）を入力し、ビットクロック（BCK）をＬＡＮケーブルを介して従来の受信装置に平衡伝送する。尚、チャネルクロック（LRCK）の周波数は、４４．１kHzであり、ビットクロック（BCK）の周波数は２．８MHzである。
【００３９】
このように、従来の送信装置は、ＬＡＮケーブル内の２対の信号線を使用して、デジタルオーディオ信号（Dout）、チャネルクロック（LRCK）及びビットクロック（BCK）を従来の受信装置に伝送している。
【００４０】
図３（Ｂ）において、従来の受信装置は、差動信号受信回路５１〜５３、コンパレータ５４〜５５、及びＤ／Ａコンバータ５７を備えている。差動信号受信回路５１は、差動信号伝送回路４３から平衡伝送されたデジタルオーディオ信号（Dout）を入力する。コンパレータ５４は、差動信号受信回路５１からの出力と基準電位Vrefとを比較し、比較結果に応じて、差動信号受信回路５１からの出力を増幅したデジタルオーディオ信号（Dout）をＤ／Ａコンバータ５７に出力する。
【００４１】
差動信号受信回路５２は、差動信号伝送回路４４から平衡伝送されたビットクロック（BCK）を入力する。コンパレータ５５は、差動信号受信回路５２からの出力と基準電位Vrefとを比較し、比較結果に応じて、差動信号受信回路５２からの出力を増幅したビットクロック（BCK）をＤ／Ａコンバータ５７に出力する。
【００４２】
差動信号受信回路５３は、差動信号伝送回路４３から非平衡伝送されたチャネルクロック（LRCK）を終端抵抗５８の中点から入力する。コンパレータ５６は、差動信号受信回路５３からの出力と基準電位Vrefとを比較し、比較結果に応じて、差動信号受信回路５３からの出力を増幅したチャネルクロック（LRCK）をＤ／Ａコンバータ５７に出力する。
【００４３】
Ｄ／Ａコンバータ５７は、入力されたビットクロック（BCK）及びチャネルクロック（LRCK）に基づいてデジタルオーディオ信号（Dout）をアナログオーディオ信号に変換し、不図示のスピーカに出力する。
【００４４】
図３（Ａ）及び図３（Ｂ）の従来の受信装置及び従来の送信装置では、ＦＧ（フレームグランド）がとれていない場合、差動信号受信回路５３の出力側の点Ａの電位は図４に示すような波形になる。即ち、チャネルクロック（LRCK）がグランド（GND）を中心に伝送され、コンパレータ５６の基準電位Vrefを常に下回るため、コンパレータ５６が正常動作をしない。即ち、チャネルクロック（LRCK）が正確に送信装置２から受信装置３に伝送されない。このため、Ｄ／Ａコンバータ５７で変換されたアナログオーディオ信号にノイズが乗ることがある。
【００４５】
図５（Ａ）は、オーディオ信号に関連する送信装置２の構成を示すブロック図であり、図５（Ｂ）は、オーディオ信号に関連する受信装置３の構成を示すブロック図である。
【００４６】
図５（Ａ）において、送信装置２は、Ａ／Ｄコンバータ２０１、アッテネータ２０２及び差動信号伝送回路２０３を備えている。Ａ／Ｄコンバータ２０１は、サーバ１からのアナログオーディオ信号を入力し、デジタルオーディオ信号（Dout）に変換し、デジタルオーディオ信号（Dout）、チャネルクロック（LRCK）及びビットクロック（BCK）の３つの信号を出力する。アッテネータ２０２は、デジタルオーディオ信号（Dout）、チャネルクロック（LRCK）及びビットクロック（BCK）の出力を減衰する。これは、画像信号へのＥＭＩノイズを減らすためである。
【００４７】
差動信号伝送回路２０３は、例えば、差動ツイストペアドライバで構成されており、デジタルオーディオ信号（Dout）、チャネルクロック（LRCK）及びビットクロック（BCK）を入力し、デジタルオーディオ信号（Dout）をＬＡＮケーブル１０内のの一対の信号線を介して受信装置３に平衡伝送し、チャネルクロック（LRCK）及びビットクロック（BCK）を混合して、ＬＡＮケーブル１０内のの一対の信号線を介して受信装置３に非平衡伝送する。尚、チャネルクロック（LRCK）の周波数は、４４．１kHzであり、ビットクロック（BCK）の周波数は２．８MHzである。
【００４８】
図５（Ｂ）において、受信装置３は、差動ラインレシーバで構成される差動信号受信回路３０１，３０２（第１差動信号受信回路、第２差動信号受信回路）、コンパレータ３０３〜３０５（第１〜第３比較器）、ＰＬＬ回路３０６、Ｄ／Ａコンバータ３０７、ローパスフィルタ３０８、アッテネータ３０９及びアンプ３１０を備えている。受信装置３は、さらに終端抵抗３２１、バイアス印加回路３２２、ＬＲＣＫクロック分離回路３２３（第１分離回路）、ＢＣＫクロック分離回路３２４（第２分離回路）及びＬＲＣＫ電位自動補正回路３２５（補正回路）を備えている。
【００４９】
差動信号受信回路３０１は、差動信号伝送回路２０３から平衡伝送されたデジタルオーディオ信号（Dout）を入力する。コンパレータ３０３は、差動信号受信回路３０１からの出力と基準電位Vrefとを比較し、比較結果に応じて、差動信号受信回路３０１からの出力を増幅したデジタルオーディオ信号（Dout）をＤ／Ａコンバータ３０７に出力する。
【００５０】
バイアス印加回路３２２は、送信装置２及び受信装置３のＦＧ（フレームグランド）がとれていない場合に、チャネルクロック（LRCK）がグランド（GND）を中心に負方向（−）にシフトするため、約０．８Ｖのバイアスを差動信号受信回路３０２の基準電位Vrefに印加し、後段のコンパレータ３０４，３０５を正常動作させる。
【００５１】
差動信号受信回路３０２は、差動信号伝送回路２０３から非平衡伝送されたチャネルクロック（LRCK）及びビットクロック（BCK）を終端抵抗３２１の中点から入力する。
【００５２】
ＬＲＣＫクロック分離回路３２３は、ローパスフィルタを構成しており、差動信号受信回路３０２の出力からビットクロック（BCK）のパルスをカットし、チャネルクロック（LRCK）のパルスをコンパレータ３０４に通過させる。ＬＲＣＫ電位自動補正回路３２５は抵抗で構成されており、送信装置２及び受信装置３のＦＧ（フレームグランド）の有無により生じる差動信号受信回路３０２の出力の電位変動に応じて、コンパレータ３０４の基準電位Vrefがチャネルクロック（LRCK）の振幅の半分又は略半分となるようにコンパレータ３０４の基準電位Vrefを補正する。ここで、図６（Ａ）、（Ｂ）に、送信装置２及び受信装置３のＦＧ（フレームグランド）がある場合とない場合の、ＬＲＣＫ電位自動補正回路３２５により補正されたコンパレータ３０４の基準電位Vrefとチャネルクロック（LRCK）のパルスとの関係を示す。
【００５３】
受信装置３は、差動信号受信回路３０２の出力の電位変動に応じて、コンパレータ３０４の基準電位Vrefがチャネルクロック（LRCK）の振幅の半分又は略半分となるようにコンパレータ３０４の基準電位Vrefを補正するＬＲＣＫ電位自動補正回路３２５を備えているので、送信装置２及び受信装置３のＦＧ（フレームグランド）の有無にかかわらず、コンパレータ３０４は正常動作するようになる。
【００５４】
コンパレータ３０４は、ＬＲＣＫクロック分離回路３２３で分離されたチャネルクロック（LRCK）と補正された基準電位Vrefとを比較し、比較結果に応じて、増幅されたチャネルクロック（LRCK）をＤ／Ａコンバータ３０７に出力する。
【００５５】
ＢＣＫクロック分離回路３２４は、ハイパスフィルタを構成しており、差動信号受信回路３０２の出力からチャネルクロック（LRCK）のパルスをカットし、ビットクロック（BCK）のパルスをコンパレータ３０５に通過させる。コンパレータ３０５は、ＢＣＫクロック分離回路３２４で分離されたビットクロック（BCK）と基準電位Vrefとを比較し、比較結果に応じて、増幅されたビットクロック（BCK）をＤ／Ａコンバータ３０７及びＰＬＬ回路３０６に出力する。ＰＬＬ回路３０６は、ビットクロック（BCK）の周波数２．８MHzを１１．２MHzに変換し、変換されたビットクロック（BCK）をＤ／Ａコンバータ３０７のシステムクロックの入力端子に出力する。
【００５６】
Ｄ／Ａコンバータ３０７は、入力されたチャネルクロック（LRCK）、ビットクロック（BCK）及びシステムクロックに基づいて、デジタルオーディオ信号（Dout）をアナログオーディオ信号に変換し、アナログオーディオ信号をローパスフィルタ３０８に出力する。アナログオーディオ信号は、ローパスフィルタ３０８でノイズを除去され、アッテネータ３０９及びアンプ３１０を介してスピーカ５を介して出力される。
【００５７】
図５（Ａ）の送信装置２及び図５（Ｂ）の受信装置３によれば、デジタルオーディオ信号がＬＡＮケーブル１０内の一対の信号線を介して受信装置３に平衡伝送され、チャネルクロック（LRCK）及びビットクロック（BCK）は、当該一対の信号線を介して受信装置３に非平衡伝送される。デジタルオーディオ信号は差動信号受信回路３０１で受信され、コンパレータ３０３を介してＤ／Ａコンバータ３０７に入力される。チャネルクロック（LRCK）及びビットクロック（BCK）は差動信号受信回路３０２で受信され、ＬＲＣＫクロック分離回路３２３、ＢＣＫクロック分離回路３２４により分離され、コンパレータ３０４，３０５を介してＤ／Ａコンバータ３０７に入力される。そして、差動信号受信回路３０２の出力の電位変動に応じて、コンパレータ３０４の基準電位Vrefがチャネルクロック（LRCK）の振幅の半分又は略半分となるようにコンパレータ３０４の基準電位Vrefは補正される。ビットクロックに基づいてシステムクロックが作成され、チャネルクロック（LRCK）、ビットクロック（BCK）及びシステムクロックに基づいて、デジタルオーディオ信号（Dout）がアナログオーディオ信号に変換されて出力される。
【００５８】
よって、ネットワークケーブルに含まれる１対の信号線でオーディオ信号を伝送することができる。また、送信装置２及び受信装置３のＦＧ（フレームグランド）の有無にかかわらず、チャネルクロック（LRCK）が正確に送信装置２から受信装置３に伝送されるので、従来の信号伝送システムで生じるようなノイズの発生を抑制することができる。
【００５９】
また、送信装置２は、ＬＡＮケーブル１０内の３対の信号線を介して画像信号を受信装置３に伝送し、残りの１対の信号線を介してオーディオ信号を受信装置３に伝送するので、１本のＬＡＮケーブルのみで画像信号及びオーディオ信号を受信装置３に伝送することができる。
【００６０】
図７（Ａ）は、オーディオ信号に関連する送信装置２の構成の第１変形例を示すブロック図であり、図７（Ｂ）は、オーディオ信号に関連する受信装置３の構成の第１変形例を示すブロック図である。
【００６１】
図７（Ａ）において、送信装置２は、Ａ／Ｄコンバータ２１０、アッテネータ２１１及び差動信号伝送回路２１２を備えている。Ａ／Ｄコンバータ２１０は、サーバ１からのアナログオーディオ信号を入力し、デジタルオーディオ信号（Dout）に変換し、デジタルオーディオ信号（Dout）、チャネルクロック（LRCK）及びビットクロック（BCK）の３つの信号を出力する。尚、Ａ／Ｄコンバータ２１０のビットクロック（BCK）の出力端子は接地されており、ビットクロック（BCK）は受信装置３には出力されない。
【００６２】
アッテネータ２１１は、デジタルオーディオ信号（Dout）及びチャネルクロック（LRCK）の出力を減衰する。これは、画像信号へのＥＭＩノイズを減らすためである。差動信号伝送回路２１２は、例えば、差動ツイストペアドライバで構成されており、デジタルオーディオ信号（Dout）及びチャネルクロック（LRCK）を入力し、デジタルオーディオ信号（Dout）をＬＡＮケーブル１０を介して受信装置３に平衡伝送し、チャネルクロック（LRCK）を混合して、ＬＡＮケーブル１０を介して受信装置３に非平衡伝送する。尚、チャネルクロック（LRCK）の周波数は、４４．１kHzであり、ビットクロック（BCK）の周波数は２．８MHzである。
【００６３】
図７（Ｂ）において、受信装置３は、差動ラインレシーバで構成される差動信号受信回路３３１，３３２（第１差動信号受信回路、第２差動信号受信回路）、コンパレータ３３３，３３４（第１比較器、第２比較器）、ＰＬＬ回路３３５，３３６、Ｄ／Ａコンバータ３３７、ローパスフィルタ３３８、アッテネータ３３９及びアンプ３４０を備えている。受信装置３は、さらに終端抵抗３４１、バイアス印加回路３４２、ＬＲＣＫ電位自動補正回路３４３（補正回路）を備えている。
【００６４】
差動信号受信回路３３１は、差動信号伝送回路２１２から平衡伝送されたデジタルオーディオ信号（Dout）を入力する。コンパレータ３３３は、差動信号受信回路３３１からの出力と基準電位Vrefとを比較し、比較結果に応じて、差動信号受信回路３３１からの出力を増幅したデジタルオーディオ信号（Dout）をＤ／Ａコンバータ３３７に出力する。
【００６５】
バイアス印加回路３４２は、送信装置２及び受信装置３のＦＧ（フレームグランド）がとれていない場合に、チャネルクロック（LRCK）がグランド（GND）を中心に負方向（−）にシフトするため、約０．８Ｖのバイアスを差動信号受信回路３３２の基準電位Vrefに印加し、後段のコンパレータ３３４を正常動作させる。
【００６６】
差動信号受信回路３３２は、差動信号伝送回路２１２から非平衡伝送されたチャネルクロック（LRCK）を終端抵抗３４１の中点から入力する。
【００６７】
ＬＲＣＫ電位自動補正回路３４３は抵抗で構成されており、送信装置２及び受信装置３のＦＧ（フレームグランド）の有無により生じる差動信号受信回路３３２の出力の電位変動に応じて、コンパレータ３３４の基準電位Vrefがチャネルクロック（LRCK）の振幅の半分又は略半分となるようにコンパレータ３３４の基準電位Vrefを補正する。受信装置３は、ＬＲＣＫ電位自動補正回路３４３を備えているので、送信装置２及び受信装置３のＦＧ（フレームグランド）の有無にかかわらず、コンパレータ３３４は正常動作するようになる。
【００６８】
コンパレータ３３４は、差動信号受信回路３３２の出力と補正された基準電位Vrefとを比較し、比較結果に応じて、増幅されたチャネルクロック（LRCK）をＤ／Ａコンバータ３３７及びＰＬＬ回路３３５，３３６に出力する。
【００６９】
ＰＬＬ回路３３５は、入力されたチャネルクロック（LRCK）の周波数（４４．１kHz）を６４逓倍し、ビットクロック（BCK）を作成し、作成したビットクロック（BCK）をＤ／Ａコンバータ３３７に出力する。ＰＬＬ回路３３６は、入力されたチャネルクロック（LRCK）の周波数（４４．１kHz）を２５６逓倍し、Ｄ／Ａコンバータ３３７用のシステムクロック(SCK)を作成し、作成したシステムクロック（SCK）をＤ／Ａコンバータ３３７に出力する。
【００７０】
Ｄ／Ａコンバータ３０７は、入力されたチャネルクロック（LRCK）、ビットクロック（BCK）及びシステムクロックに基づいて、デジタルオーディオ信号（Dout）をアナログオーディオ信号に変換し、アナログオーディオ信号をローパスフィルタ３３８に出力する。アナログオーディオ信号は、ローパスフィルタ３３８でノイズを除去され、アッテネータ３３９及びアンプ３４０を介してスピーカ５を介して出力される。
【００７１】
図７（Ａ）の送信装置２及び図７（Ｂ）の受信装置３によれば、デジタルオーディオ信号がＬＡＮケーブル１０内の一対の信号線を介して受信装置３に平衡伝送され、チャネルクロック（LRCK）は、当該一対の信号線を介して受信装置３に非平衡伝送される。デジタルオーディオ信号は差動信号受信回路３３１で受信され、コンパレータ３３３を介してＤ／Ａコンバータ３３７に入力される。チャネルクロック（LRCK）は差動信号受信回路３０２で受信され、コンパレータ３３４を介してＤ／Ａコンバータ３３７に入力される。そして、差動信号受信回路３３２の出力の電位変動に応じて、コンパレータ３３４の基準電位Vrefがチャネルクロック（LRCK）の振幅の半分又は略半分となるようにコンパレータ３３４の基準電位Vrefは補正される。コンパレータ３３４から出力されるチャネルクロックに基づいてビットクロック及びシステムクロックが作成され、チャネルクロック（LRCK）、ビットクロック（BCK）及びシステムクロックに基づいて、デジタルオーディオ信号（Dout）がアナログオーディオ信号に変換されて出力される。
【００７２】
よって、ネットワークケーブルに含まれる１対の信号線でオーディオ信号を伝送することができる。また、送信装置２及び受信装置３のＦＧ（フレームグランド）の有無にかかわらず、チャネルクロック（LRCK）が正確に送信装置２から受信装置３に伝送されるので、従来の信号伝送システムで生じるようなノイズの発生を抑制することができる。
【００７３】
また、送信装置２は、ＬＡＮケーブル１０内の３対の信号線を介して画像信号を受信装置３に伝送し、残りの１対の信号線を介してオーディオ信号を受信装置３に伝送するので、１本のＬＡＮケーブルのみで画像信号及びオーディオ信号を受信装置３に伝送することができる。
【００７４】
図８（Ａ）は、オーディオ信号に関連する送信装置２の構成の第２変形例を示すブロック図であり、図８（Ｂ）は、オーディオ信号に関連する受信装置３の構成の第２変形例を示すブロック図である。
【００７５】
図８（Ａ）に示すように、送信装置２は、シリアル通信用ドライバ２０又はＡ／Ｄコンバータ２０１を選択的に切り換えるスイッチ回路７１を備えている。これにより、ユーザは、ＬＡＮケーブル１０内の１対の信号線の用途をキーボード／マウス６の操作信号等の伝送又はデジタルオーディオ信号の伝送のいずれかに切り換えることができる。また、図８（Ｂ）に示すように、受信装置３は、シリアル通信用ドライバ２３又はＤ／Ａコンバータ３０７を選択的に切り換えるスイッチ回路７２を備えている。これにより、ユーザはＬＡＮケーブル１０内の１対の信号線の用途をキーボード／マウス６の操作信号等の伝送又はデジタルオーディオ信号の伝送のいずれかに切り換えることができる。スイッチ回路７１がシリアル通信用ドライバ２０を選択している場合には、スイッチ回路７２はシリアル通信用ドライバ２３を選択する。スイッチ回路７１がＡ／Ｄコンバータ２０１を選択している場合には、スイッチ回路７２はＤ／Ａコンバータ３０７を選択する。
【００７６】
図７（Ａ）の送信装置２及び図７（Ｂ）の受信装置３も、スイッチ回路７１及びスイッチ回路７２を備えていてもよい。
【００７７】
尚、本発明は、上述した実施の形態に限定されるものではなく、その要旨を逸脱しない範囲内で種々変形して実施することが可能である。
【符号の説明】
【００７８】
１  サーバ
２  送信装置
３  受信装置
４  モニタ
５  スピーカ
６  キーボード／マウス
２０１，２１０  Ａ／Ｄコンバータ
２０２，２１１  アッテネータ
２０３，２１２  差動信号伝送回路
３０１，３０２，３３１，３３２  差動信号受信回路
３０３〜３０５，３３３，３３４  コンパレータ
３０６，３３５，３３６  ＰＬＬ回路
３０７，３３７  Ｄ／Ａコンバータ
３０８，３３８  ローパスフィルタ
３０９，３３９  アッテネータ
３１０，３４０  アンプ
３２２，３４２  バイアス印加回路
３２３  ＬＲＣＫクロック分離回路
３２４  ＢＣＫクロック分離回路
３２５，３４３  ＬＲＣＫ電位自動補正回路
【図１】
2010178093.tif 000003
【図２】
2010178093.tif 000004
【図３】
2010178093.tif 000005
【図４】
2010178093.tif 000006
【図５】
2010178093.tif 000007
【図６】
2010178093.tif 000008
【図７】
2010178093.tif 000009
【図８】
2010178093.tif 000010